(57)【要約】【課題】開口部に形成される閉鎖部の離型シートを剥がしやすくする。【解決手段】開口部１２に粘着剤層１４と、粘着剤層１４を覆う離型シート１５を備えた収納袋１１の閉鎖部構造において、離型シート１５に、粘着剤層１４に貼り付けられた貼り付け部１５ａと、貼り付け部１５ａの縁に形成された折り曲げ線１５ｂと、折り曲げ線１５ｂで折り曲げられて貼り付け部１５ａの上に重なる折り返し部１５ｃを形成して、離型シート１５を二つ折り構造にする。【選択図】図１
2019001516.tif 000002
【特許請求の範囲】
【請求項１】
開口部に粘着剤層と、前記粘着剤層を覆う離型シートを備えた収納袋の閉鎖部構造であって、
前記離型シートが、前記粘着剤層に貼り付けられた貼り付け部と、前記貼り付け部の縁に形成された折り曲げ線と、前記折り曲げ線で折り曲げられて前記貼り付け部の上に重なる折り返し部を有する
収納袋の閉鎖部構造。
【請求項２】
前記粘着剤層が前記開口部の幅方向全体に一定幅で延びる帯状であり、
前記離型シートの前記折り曲げ線が、前記開口部の開口側または反開口側に形成された
請求項１に記載の収納袋の閉鎖部構造。
【請求項３】
前記開口部が同形をなす一対のシート体で構成され、
前記粘着剤層及び前記離型シートが一方のシート体の内側面に備えられた
請求項１または請求項２に記載の収納袋の閉鎖部構造。
【請求項４】
前記折り曲げ線が前記開口部の開口側に形成されるとともに、
前記折り返し部が、前記折り返し部の折り返しを解いて伸ばしたときに前記開口部の縁に達するか前記開口部の縁から突出するものである
請求項１から請求項３のうちいずれか一項に記載の収納袋の閉鎖部構造。
【請求項５】
前記開口部に前記開口部の縁を反開口側に下げる切欠き部が形成された
請求項１から請求項４のうちいずれか一項に記載の収納袋の閉鎖部構造。
【請求項６】
前記切欠き部が、前記開口部の両肩部分にそれぞれ傾斜状または円弧状に形成された
請求項５に記載の収納袋の閉鎖部構造。
【請求項７】
製造されたフィルムに印刷工程と製袋工程を順に行う収納袋の製造方法であって、
前記製袋工程で、前記フィルムにおけるのちに開口部を構成することになる部分に粘着剤層を形成した後、
前記粘着剤層に対して前記粘着剤層の大きさよりも大きい離型シートの一部を貼り付けて、
前記フィルムに対して一体となった離型シートにおける前記粘着剤層に貼り付いた貼り付け部に隣接する非貼り付け部を、前記離型シート上を相対移動する折り返し爪で折り曲げ線を形成しながら折り返して、前記貼り付け部の上に折り重ねたのち、
裁断及び熱溶着加工を行う
収納袋の製造方法。
【請求項８】
前記粘着剤層の形成を、前記フィルムの搬送方向に一定幅に行い、
前記離型シートとして、前記粘着剤層の幅よりも幅広の離型シートを用いるとともに、前記粘着剤層に対して、前記離型シートの幅方向の片側を貼り付け、
前記折り曲げ線を搬送方向に形成する
請求項７に記載の収納袋の製造方法。
【請求項９】
前記折り返しを、前記離型シートに折り目を形成したのち、前記非貼り付け部を引き起こし、前記貼り付け部に対して押さえつける、搬送方向に離間配置された複数の前記折り返し爪で行う
請求項７または請求項８に記載の収納袋の製造方法。
【請求項１０】
前記折り返し爪が、前記フィルムの平面方向と平行または略平行に挿入されるものである
請求項９に記載の収納袋の製造方法。
【発明の詳細な説明】
【技術分野】
【０００１】
この発明は、商品や荷物の包装等に用いられる収納袋に関し、より詳しくは、開口部を閉鎖する粘着剤層からなる閉鎖部を備えた収納袋に関する。
【背景技術】
【０００２】
粘着剤層からなる閉鎖部には、閉鎖を行うまでの間、粘着剤層を保護する離型シートが貼り付けられている。
【０００３】
しかし、離型シートは粘着剤層の大きさと略同じ大きさであり、薄く平らなシート状である。このため、離型シートは剥がしにくい場合がある。
【０００４】
特に、収納袋が接客時に使用されるものである場合、離型シートが剥がしにくいと迅速な作業ができず、顧客を待たせることになり、サービスが停滞してしまう。たとえば収納袋がいわゆる免税袋である場合、レジで列をなす顧客に対してサービスの低下を招かないように、より迅速な作業が求められている。
【０００５】
下記特許文献１には、開口部の内側面の全幅にわたって形成された自着部（粘着剤層）と剥離膜（離型シート）の両端部に半円形状の透孔を形成して、剥離膜を剥がしやすくすることが開示されている。
【０００６】
しかしながら、剥離膜を剥がすには指先を透孔に引っ掛ける必要があり、剥離膜のどこからでも剥がしやすいというわけではなかった。
【先行技術文献】
【特許文献】
【０００７】
【特許文献１】特許第３３６１７７４号公報
【発明の概要】
【発明が解決しようとする課題】
【０００８】
この発明は、離型シートを剥がしやすくすることを主な目的とする。
【課題を解決するための手段】
【０００９】
そのための手段は、離型シートに、粘着剤層に貼り付けられた貼り付け部と、貼り付け部の縁に形成された折り曲げ線と、折り曲げ線で折り曲げられて貼り付け部の上に重なる折り返し部を備えることである。
【００１０】
この構成では、折り返し部は折り曲げ線を介して貼り付け部の上に位置するものであるため、薄く平らなシート状であっても折り曲げ線と反対側の部分において貼り付け部との間に隙間ができやすい。つまり、折り返し部の折り曲げ線と反対側の部分は指先でつまむときの端緒となり、折り返し部がある部分はどこからでも容易に剥がせる。また、折り返し部は離型シートを折り返して構成されており、離型シートを剥がすためには、折り返し部を折り曲げ線に剥離の力がかかるまで動かす必要があり、折り返し部の長さにもよるが僅かに動かした程度では剥がせないようにできるので、粘着剤層の保護も確実にできる。
【発明の効果】
【００１１】
この発明によれば、離型シートが剥がしやすいため、袋詰め作業の時間短縮がはかれ、迅速な作業が可能である。
【図面の簡単な説明】
【００１２】
【図１】収納袋の開口部を開いた状態の斜視図。
【図２】収納袋の正面図。
【図３】収納袋の要部の断面図。
【図４】収納袋の離型シートを伸ばした状態の正面図。
【図５】収納袋の開口部を開いた状態の斜視図。
【図６】粘着剤塗布および離型シート貼り付け工程を示す概略構成図。
【図７】離型シートの折り返し準備状態を示す断面図。
【図８】離型シートの折り返し準備状態を示す一部破断平面図。
【図９】折り返し工程の説明図。
【図１０】折り返し工程の説明図。
【発明を実施するための形態】
【００１３】
この発明を実施するための一形態を、以下図面を用いて説明する。
【００１４】
図１に収納袋１１の上端部の開口部１２を開いた状態を示す。収納袋１１は柔軟で透明な合成樹脂フィルムからなるものであり、開口部１２に閉鎖部１３を備えている。閉鎖部１３は粘着剤層１４と、この粘着剤層１４を覆って保護する剥離可能な離型シート１５で構成されている。
【００１５】
収納袋１１は使用目的に応じて適宜の物を収納できるように構成し得るが、この例では、収納袋１１の一例として免税袋をあげる。免税袋とは、「外国人旅行者向け消費税免税制度」により、商店において購入された商品を包装する袋である。
【００１６】
収納袋１１の正面図である図２に示したように、収納袋１１は、偏平な手提げ袋型である。つまり、収納袋１１は、収納空間を構成する本体部１６の上端部に前述の開口部１２を有しており、同形をなす表裏一対のシート体１１ａ，１１ｂを左右両側のサイドシール部１７で接合して袋状に構成されている。
【００１７】
本体部１６の底には内側、つまり一対のシート体１１ａ，１１ｂの間に折り込まれる折り込み部２０が形成されるとともに、左右両側縁には前述のサイドシール部１７が形成されている。サイドシール部１７は、前述の横シール部１９より下側に形成されており、開口部１２の左右両側は開いている。
【００１８】
開口部１２は、断面図である図３に示したように、本体部１６が一重のフィルムで構成しているのに対して、二重のフィルムで構成されており、前述の閉鎖部１３と、手提げを可能にするための手提げ穴１８を備えるぶん、適宜の幅（収納袋１１の上下方向の長さ）に形成される。一対のシート体１１ａ，１１ｂにおける開口部１２と本体部１６の境界近傍には、開口部１２を二重にしたフィルムの端部を接合する横シール部１９が形成されている。
【００１９】
開口部１２の左右方向の中間部位に、前述の手提げ穴１８が形成されている。手提げ穴１８の形状は左右方向に長い長円形である。その他の適宜の形状でアッもよい。
【００２０】
また開口部１２には、開口部１２の縁を反開口側に下げる切欠き部２１が形成されている。切欠き部２１は、具体的には、開口部１２の両肩部分（左右両側部の上側）にそれぞれ上側ほど左右方向の中間側に寄る傾斜状または円弧状に形成されている。切欠き部２１の上側部分は直線状の傾斜部２１ａ、下側部分は円弧状の傾斜部２１ｂである。このため、開口部１２の正面視形状は左右方向の中間部が高い山形になる。手提げ穴１８の下端位置と切欠き部２１の下端位置は同程度の高さに設定される。
【００２１】
そして一対のシート体１１ａ，１１ｂのうち一方のシート体１１ａの開口部１２の内側面には特殊印刷層２２が形成され、他方のシート体１１ｂの開口部１２の内側面には前述の閉鎖部１３、つまり粘着剤層１４及び離型シート１５が備えられている。特殊印刷層２２は、粘着剤層１４が貼り付いたあと、つまり開口部１２の閉鎖後に開封がなされると、開封されたことを示す表示があらわれるものである。特殊印刷層２２は、手提げ穴１８より下の位置に、左右方向の全体にわたって一定幅の帯状に塗布される。
【００２２】
粘着剤層１４は、開口部１２の幅方向（左右方向）全体に一定幅で延びる帯状であり、手提げ穴１８より下であって、特殊印刷層２２に対向する位置に形成されている。粘着剤層１４を覆う離型シート１５は、粘着剤層１４に貼り付けられた貼り付け部１５ａと、貼り付け部１５ａの縁に形成され開口部１２の幅方向に沿って延びる折り曲げ線１５ｂと、折り曲げ線１５ｂで折り曲げられて貼り付け部１５ａの上に重なる折り返し部１５ｃを有している。
【００２３】
図１、図３に示した例では、離型シート１５は粘着剤層１４の幅の約２倍に設定され、幅方向の略中間位置に折り曲げ線１５ｂを形成して半折りにしている。また、離型シート１５の折り曲げ線１５ｂは開口部１２の開口側に形成されており、折り返し部１５ｃが、図３に仮想線で示したように折り返し部１５ｃの折り返しを解いて伸ばしたときに開口部１２の縁に達するか開口部１２の縁から突出するものである（図４参照）。つまり、離型シート１５の貼り付け位置と幅と切欠き部２１の大きさや形状を、折り返し部１５ｃを伸ばしたときに開口部１２の縁に達するか開口部１２の縁から突出させる一方、折り返し部１５ｃを折り返した状態である時には折り曲げ線１５ｂが切欠き部２１に非接触となるように設定している。
【００２４】
切欠き部２１は開口部１２の両肩部に形成され、切欠き部２１の下端位置と手提げ穴１８の下端位置を略同じにしているので、図４に示したように、伸ばした離型シート１５の折り返し部１５ｃの上端部は切欠き部２１と手提げ穴１８から上に突出する。
【００２５】
離型シート１５は、図５に示したように、折り曲げ線１５ｂを開口部１２の反開口側に形成して、折り曲げ方向を前述の例とは逆にすることもできる。
【００２６】
このような構成の収納袋１１は、次のような製造方法で製造される（図６〜図１０参照）。
【００２７】
収納袋１１は、一般的な製造方法と同様に、フィルム製造工程、印刷工程、製袋工程の順で製造される。特殊印刷層２２は、その他の必要な印刷と共に印刷工程で形成される。
【００２８】
製袋工程においては、シート体１１ａ，１１ｂを構成するフィルム３１におけるのちに開口部１２を構成することになる部分に粘着剤層１４を形成した後、粘着剤層１４に対して粘着剤層１４の大きさよりも大きい離型シート１５の一部を貼り付ける。続いて、フィルム３１に対して一体となった離型シート１５における粘着剤層１４に貼り付いた貼り付け部１５ａに隣接する非貼り付け部１５ｄを、離型シート１５上を相対移動する折り返し爪３３で折り曲げ線１５ｂを形成しながら折り返して、貼り付け部１５ａの上に折り重ねたのち、裁断及び熱溶着加工を行う。
【００２９】
具体的には、まず、図６に示したようにして粘着剤層１４の形成と離型シート１５の貼り付けを行う。半折りにしたフィルム３１を搬送し、後に開口部１２となる先端側部分の上面における所定位置に粘着剤を塗布して粘着剤層１４を形成する。粘着剤層１４の形成は、フィルム３１の搬送方向に一定幅に行う。粘着剤が付与された粘着剤塗布テープ３５をフィルム３１に押し付けると粘着剤層１４を形成できる。
【００３０】
続いて粘着剤層１４に対して離型シート１５の貼り付けを行う。離型シート１５としては、粘着剤層１４の幅よりも幅広の離型シート１５を用いるとともに、粘着剤層１４に対して、離型シート１５の幅方向の片側を貼り付ける。
【００３１】
図６に拡大して示したように、離型シート１５の幅方向におけるフィルム３１の先端側部分とは反対側の部分を粘着剤層１４に貼り付けている。これは、図１に示した収納袋１１に対応した例、つまり、離型シート１５の折り曲げ線１５ｂを開口側に備える例を示している。離型シート１５を備えた部分は後の工程で内側に折り返すことになるので、離型シート１５は、幅方向における反開口側の部分を粘着剤層１４に貼り付けたことになる。
【００３２】
このあと、フィルム３１を反転機構部３７に通して、フィルム３１を表裏反転させて、離型シート１５を下に向ける。
【００３３】
つぎに、図７（ａ）に示した状態から、フィルム３１における重なり合った先端側部分をそれぞれ図７（ｂ）に示したように所定幅内側に折り返す。折り返す幅で開口部１２の幅が決定される。離型シート１５は、２枚重なっているフィルム３１の内側面に存在することになり、この状態の離型シート１５に対して折り返し加工を行う。
【００３４】
図８は、図７（ｂ）の状態のフィルム３１を一部破断した状態の平面図である。この図にも示したように、それぞれ折り返された先端側部分の内側面に、特殊印刷層２２と離型シート１５が対向することになる。
【００３５】
離型シート１５の折り返し加工は、図９に示したように、離型シート１５に折り曲げ線１５ｂを形成したのち、非貼り付け部１５ｄを引き起こし、貼り付け部１５ａに対して押さえつける、搬送方向に離間配置された複数の折り返し爪３３で行う。折り返し爪３３は、フィルム３１の平面方向と平行または略平行に挿入されるものであり、離型シート１５の表面側に適宜の隙間を開けた状態でフィルム３１を搬送させながら折り返しを行う。
【００３６】
つまり、図９に示したように、折り返し爪３３は、金属材で構成されており、複数の折り返し爪３３は、搬送方向上流側から順に、適宜間隔をあけるとともに、フィルム３１や離型シート１５に対する接触方向での位置を適宜設定して備えられる。折り返し爪３３としては、具体的には、搬送方向上流側から順に、細幅板状の折り目付与爪３３ａと、離型シート１５の非貼り付け部１５ｄの下に潜り込む引き起こし爪３３ｂと、フィルム３１の下で全体を支える支持爪３３ｃと、非貼り付け部１５ｄを折り返す折り爪３３ｄと、折り返されさた半折り状態の離型シート１５の特に折り曲げ線１５ｂ部分を押さえる押さえ爪３３ｅと、離型シート１５を有するフィルム３１を挟んでしごく仕上げ爪３３ｆを備える。
【００３７】
折り目付与爪３３ａから折り爪３３ｄまでは細幅板状であり、折り目付与爪３３ａは、先端に折曲部３８を有する。押さえ爪３３ｅは適宜形状に折り曲げた線状体で構成され、仕上げ爪３３ｆは適宜間隔をあけた２本の摺動棒３９を有している。仕上げ爪３３ｆはフィルム３１に対する位置やフィルム３１の搬送方向に対する角度を変えることでフィルム３１と離型シート１５をしごく強度を変更できる。
【００３８】
図５に示した収納袋１１に対応した例、つまり、折り曲げ線１５ｂを反開口側に備える場合には、図１０に示したような折り返し爪３３を用いて折り返し加工を行う。折り返し爪３３としては、具体的には、搬送方向上流側から順に、細幅板状であり離型シート１５の貼り付け部１５ａを押さえるとともに折り目を付ける折り目付与爪３３ａと、離型シート１５の非貼り付け部１５ｄを引き起こす引き起こし爪３３ｂと、フィルム３１の下で全体を支える支持爪３３ｃと、引き起こされた非貼り付け部１５ｄを折り返す折り爪３３ｄと、折り返されさた半折り状態の離型シート１５を押さえる押さえ爪３３ｅと、離型シート１５を有するフィルム３１を挟んでしごく仕上げ爪３３ｆを備える。
【００３９】
図９、図１０いずれの場合も、例えば支持爪３３ｃや押さえ爪３３ｅ、仕上げ爪３３ｆなど、一部の折り返し爪３３を省略することができるとともに、その他の折り返し爪に変更したり別の折り返し爪を追加したりすることができる。
【００４０】
このようにして離型シート１５に折り返し部１５ｃを形成した後、間欠送りをして、裁断及び熱溶着加工に移行する。裁断及び熱溶着加工では、所定位置にヒートシールをして横シール部１９やサイドシール部１７を形成するほか、手提げ穴１８と、切欠き部２１を打ち抜いて形成し、サイドシール部１７での分のためのカットを行う。
【００４１】
以上のような構成の収納袋１１は、離型シート１５が剥がしやすいため、迅速な袋詰め作業が可能であり、サービスの向上に資することができる。
【００４２】
すなわち、収納袋１１の開口部１２を開くと、図１、図５に示したように、二つ折り状態の離型シート１５が即座にあらわれる。このとき離型シート１５の折り返し部１５ｃは密着状態にある一対のシート体１１ａ，１１ｂを分離することによって浮く。つまり、折り曲げ線１５ｂと反対側の部分において折り返し部１５ｃと貼り付け部１５ａとの間に隙間ができやすい。このため、折り返し部１５ｃの折り曲げ線１５ｂと反対側の部分は指先でつまみやすい状態となる。離型シート１５が薄くて柔軟であっても、貼り付け部１５ａと折り返し部１５ｃは滑り合うので、摘みやすい。この結果、離型シート１５を容易には図ことができる。しかも、折り返し部１５ｃは開口部１２の全幅にわたって形成されており、どこからでも容易に剥がせるので、例えば右利きか左利きかの違いなどに関わりなく、作業性はよい。
【００４３】
離型シート１５の折り曲げ線１５ｂを開口側に向けた構成の場合には、包装作業に先立って、離型シート１５の折り返し部１５ｃの折り返しを解いて延ばしておけば、離型シート１５の端は開口部１２から突出するので、一段と剥がしやすくすることができる。また、開口部１２を開けなくても離型シート１５の端が突出していることになるので、開口部１２開ける前に離型シート１５の端をつまんで、開口部１２を開けやすくすることもできる。
【００４４】
一方、離型シート１５の剥離作業が容易でありながらも、折り返し部１５ｃは離型シート１５を折り返して構成されており、離型シート１５を剥がすためには、折り返し部１５ｃを折り曲げ線１５ｂに剥離の力がかかるまで動かす必要がある。このため、折り返し部１５ｃの長さにもよるが折り返し部１５ｃを僅かに動かした程度では剥がせないようにできるので、粘着剤層１４を保護するという所期の目的を確実に達成できる。
【００４５】
以上の構成はこの発明を実施するための一形態であって、その他の構成を採用することもできる。
【００４６】
たとえば、手提げ穴１８や切欠き部２１を省略したり、閉鎖部１３を形成する部分を封筒のフラップのような形状にしたりするなど、その他の構成の収納袋１１とすることができる。手提げ穴１８と同様に、切欠き部２１の形状も適宜設定できる。
【００４７】
また、前述の例では切欠き部２１の形成位置と半折り状態の離型シート１５の位置が干渉しないようにして、切欠き部２１の形成に際して離型シート１５がカットされないようにしたが、離型シート１５の一部を切断することがあってもよい。
【００４８】
閉鎖部１３の形成は開口部１２の幅方向全体ではなく部分的であってもよく、その形状も前述のような帯状のものに限定されるものではなく、収納袋１１の用途等に応じて適宜設定できる。閉鎖部１３の形成位置は、収納袋１１の外面であってもよい。
【００４９】
離型シート１５は幅方向の半分の位置に折り曲げ線１５ｂを形成する半折りではなく貼り付け部１５ａか折り返し部１５ｃのいずれか一方を他方よりも長くしてもよい。
【００５０】
また、粘着剤層１４は、特殊印刷層２２のような機能を有する、いわゆるセキュリティーテープを用いて収納袋１１を構成してもよい。
【符号の説明】
【００５１】
１１…収納袋
１１ａ，１１ｂ…シート体
１２…開口部
１３…閉鎖部
１４…粘着剤層
１５…離型シート
１５ａ…貼り付け部
１５ｂ…折り曲げ線
１５ｃ…折り返し部
１５ｄ…非貼り付け部
２１…切欠き部
３１…フィルム
３３…折り返し爪
【図１】
2019001516.tif 000003
【図２】
2019001516.tif 000004
【図３】
2019001516.tif 000005
【図４】
2019001516.tif 000006
【図５】
2019001516.tif 000007
【図６】
2019001516.tif 000008
【図７】
2019001516.tif 000009
【図８】
2019001516.tif 000010
【図９】
2019001516.tif 000011
【図１０】
2019001516.tif 000012